(57)【要約】【課題】操作性に優れた操作装置およびその方法ならびにプログラムを提供する。【解決手段】本発明にかかる操作装置（ナビゲーション装置１）の制御部１０は、タッチパネル２２を介して受け入れたタッチに応じて、ＬＣＤ２０に表示される画像をスクロールし、タッチが最終的にいずれかのシールボタン２４０に対して行われたときに、そのシールボタン２４０に設定された機能を実現し、連続的なタッチがタッチパネル２２の画面領域２６からシール領域２４に移行した後で終了したときに、ＬＣＤ２０に表示される画像を、タッチが開始されたときにＬＣＤ２０に表示されていた画像に戻す。【選択図】図２
2013011573.tif 000002
【特許請求の範囲】
【請求項１】
少なくとも目的画像を表示する画像表示手段と、
前記目的画像に対応する第１の領域に対する操作と、第２の領域に対する操作とを受け入れる操作受入手段と、
前記第１の領域に対する操作に応じて、前記第１の領域に表示される目的画像の位置を移動させる画像移動手段と、
前記第１の領域に対する操作が連続して前記第２の領域へ進入し、前記第２の領域に対する操作がなされた場合、前記第１の領域に対する操作に応じて移動された前記目的画像の位置を、前記第１の領域に対する操作が開始されたときの位置に戻す表示制御手段と、を有することを特徴とする操作装置。
【請求項２】
前記画像移動手段は、前記操作受入手段により、連続的に前記第１の領域に対する操作が受け入れられたときには、前記受け入れられた操作に応じて、前記目的画像の位置を連続的に移動させ、
前記表示制御手段は、前記第１の領域に対する操作が連続して前記第２の領域へ進入し、前記第２の領域に対する操作がなされた場合、前記第１の領域に対する操作に応じて移動された前記目的画像の位置を、前記第１の領域に対する操作が開始されたときの位置に戻すことを特徴とする請求項１に記載の操作装置。
【請求項３】
前記第２の領域に対する操作に応じて、前記第２の領域に対応付けられた処理を実行する処理実行手段を有することを特徴とする請求項１又は２に記載の操作装置
【請求項４】
前記第１の領域に対する操作が連続して前記第２の領域へ進入した場合、前記画像移動手段は、前記目的画像の位置の移動を停止することを特徴とする請求項１乃至３の何れかに記載の操作装置。
【請求項５】
前記表示制御手段は、前記第１の領域に対する操作が連続して前記第２の領域へ進入した場合、その旨を音声出力させることを特徴とする請求項１乃至４の何れかに記載の操作装置。
【請求項６】
前記目的画像は、地図画像であることを特徴とする請求項１乃至５の何れかに記載の操作装置。
【請求項７】
前記第２の領域は、前記目的画像の表示領域外の表示領域に対応する領域、又は、目的画像に重畳された画像に対応する領域、又は、前記第１の領域外の領域であることを特徴とする請求項１乃至６の何れかに記載の操作装置。
【請求項８】
少なくとも目的画像を表示する画像表示ステップと、
前記目的画像に対応する第１の領域に対する操作と、第２の領域に対する操作とを受け入れる操作受入ステップと、
前記第１の領域に対する操作に応じて、前記第１の領域に表示される目的画像の位置を移動させる画像移動ステップと、
前記第１の領域に対する操作が連続して前記第２の領域へ進入し、前記第２の領域に対する操作がなされた場合、前記第１の領域に対する操作に応じて移動された前記目的画像の位置を、前記第１の領域に対する操作が開始されたときの位置に戻す表示制御ステップと、をコンピュータにより実行することを特徴とする操作方法。
【請求項９】
少なくとも目的画像を表示する画像表示ステップと、
前記目的画像に対応する第１の領域に対する操作と、第２の領域に対する操作とを受け入れる操作受入ステップと、
前記第１の領域に対する操作に応じて、前記第１の領域に表示される目的画像の位置を移動させる画像移動ステップと、
前記第１の領域に対する操作が連続して前記第２の領域へ進入し、前記第２の領域に対する操作がなされた場合、前記第１の領域に対する操作に応じて移動された前記目的画像の位置を、前記第１の領域に対する操作が開始されたときの位置に戻す表示制御ステップと、をコンピュータにより実行させることを特徴とするプログラム。
【発明の詳細な説明】
【技術分野】
【０００１】
本発明は、操作装置、操作方法、及びプログラムに関する。
【背景技術】
【０００２】
例えば、特許文献１（特開２００８−１９１０８６号公報）は、ディスプレイに表示された画像に対する操作を受け入れるタッチパネルを用いて操作が行われるナビゲーション装置を開示し、特許文献２（特開２００５−２８４８０９号公報）は、タッチパネルを用いた表示装置を開示する。
【０００３】
特許文献１に開示されたナビゲーション装置は、液晶ディスプレイ（ＬＣＤ）装置の画面にタッチパネルを配設し、ＬＣＤ装置の画面に表示された画像に対する操作を受け入れるタッチパネル式表示部を用い、画像に対する操作に応じて地図などの画像の表示位置を変更（スクロール）するように構成されている。
【０００４】
この装置においては、例えば、ナビゲーション装置の操作を行うために、ナビゲーション装置に、機械的なスイッチ（ハードキー）が付加され、このハードキーを用いて、ナビゲーション装置の機能のメニュー画面が、タッチパネル式表示部に表示される。
【０００５】
しかしながら、このように、ナビゲーション装置にハードキーを付加する方法は、カーナビゲーション装置などのハードウェア構成を複雑化させ、さらに、ハードキーに固定的に機能を割り当てる必要があるので、仕様変更のたびに、ソフトウェアの変更だけでなくハードウェアの変更も必要となる。
【０００６】
一方、特許文献２に開示された表示装置においては、タッチパネル式表示部のＬＣＤ装置の画面よりもタッチパネルが広くされ、ＬＣＤ装置の画面と重複しない部分のタッチパネルに印刷フィルムのようなシールなどによりハードキー代わりのボタン（シールボタン）が設けられ、このシールボタンに対する操作により、操作が行われる。
【０００７】
また、ＬＣＤ装置の画面と同じ大きさのタッチパネルを用い、ＬＣＤ装置の画面の上部に表示目的とする画像を表示し、その下部に操作のためのソフトキーを表示する構成のタッチパネル式表示部も提供されている。
【先行技術文献】
【特許文献】
【０００８】
【特許文献１】特開２００８−１９１０８６号公報
【特許文献２】特開２００５−２８４８０９号公報
【発明の概要】
【発明が解決しようとする課題】
【０００９】
しかしながら、特許文献１や２のようなタッチパネル式表示部をナビゲーション装置に適用すると、ハードキーではなくタッチパネルへの操作となり、地図画像などの表示領域とシールボタン或いはソフトキーとの間に機械的な凹凸がないので、ユーザは、シールボタンあるいはソフトキーを操作しようとしてＬＣＤ装置に表示された画像（例えば地図画像）に対する操作を誤って行ってしまうことがある。
【００１０】
つまり、このような場合には、ユーザは、ナビゲーション装置のメニューを表示させようとして、タッチパネル式表示部に表示された地図などの画像の表示位置を誤って変えてしまうことになる。
【００１１】
具体的には、たとえば、ＬＣＤ装置がナビゲーション装置の表示手段として用いられ、ＬＣＤ装置に表示された地図画像（地図画像に対応するタッチパネルの位置）を指でタッチした場合、地図画像をスクロールする（地図画像の位置を移動する）スクロール機能を有していた場合において、ユーザがナビゲーション装置の操作（例えばメニュー表示）を行う意図でシールボタンあるいはソフトキーをタッチしようとした際に、タッチパネル式表示部に表示された地図などの画像を誤ってタッチした場合、表示された地図がスクロールされてしまい、地図の位置を誤って変えてしまうことになる。
【００１２】
このような不具合は、例えば、ナビゲーション装置のシールボタンあるいはソフトキーが、音量の調節に用いられるときなどにも、同様に生じてしまう。
【００１３】
このような不具合を解消するためには、例えば、特許文献１に記載されているように、タッチパネル式表示部への指による連続的な接触や押下（タッチ）による操作（スクロール）を禁止し、連続的にタッチされたまま、ソフトキー上に指が移動すると、そのソフトキーに対応した機能を音声出力し、そのソフトキー上で指が離されると、そのソフトキーに対応した機能を実行することが考えられる。
【００１４】
しかしながら、特許文献１に記載されているように、タッチパネル式表示部への指による連続的な接触や押下（タッチ）による操作（スクロール）を禁止すると、例えば、現在表示されている地図画像から離れた地図画像（例えば、隣の県の地図画像）を表示させたい場合などは、複数回の操作（タッチ）が必要となり、操作性が損なわれる。
【００１５】
すなわち、タッチパネル式表示部をなぞって地図などの画像の表示位置を変更（スクロール）することで（連続的にタッチした場合に、タッチに追随させて地図の位置を変更（スクロール）することで）操作回数が低減され、操作性がよいため、表示された地図画像を連続的にタッチしてスクロールできると、ナビゲーション装置の操作性が向上する。
【００１６】
しかしながら、ナビゲーション装置の操作性の向上のために、タッチパネル式表示部への連続的なタッチ（指をタッチパネルから離すことなく滑らせる操作）に応じた画像の表示位置の変更（スクロール）を許すと、表示された地図画像上をタッチした指を滑らせてナビゲーション装置に対するシールボタンあるいはソフトキーを用いた操作指示をすると（例えば、タッチしたまま地図画像からシールボタンあるいはソフトキー上に移動して指を離すと）、シールボタンあるいはソフトキーに対応した機能が実行されるが、ユーザが地図画像をタッチしていた間にスクロールされた地図画像の表示がそのまま残ってしまう。
【００１７】
すなわち、表示された地図画像上をタッチしたままシールボタンあるいはソフトキー上に移動して操作指示を行った場合は、地図画像のスクロールを意図して地図画像上をタッチしたのではなく、誤って地図画像をタッチしてから、所望する機能を実行するためのシールボタンあるいはソフトキー上に移動したものと考えられる。そのため、このような場合には、自動的に地図画像をスクロール前の位置へ戻すことが望まれる。
【００１８】
本願発明は、以上述べたような経緯からなされたものであって、タッチパネル式表示部への連続的なタッチに応じた画像の表示位置の変更を許しつつ、このタッチが実際には画像の表示位置の変更を意図したものでなかった場合、ユーザが誤って移動させた画像の位置を元に戻すことができるように工夫されている。
【００１９】
すなわち、本発明は、上述の背景からなされたものであって、ＬＣＤ装置の表示画面上にタッチパネルを重ねたタッチパネル式表示部を用いて、従来よりも操作性に優れた操作装置、操作方法、及びプログラムを提供することを目的とする。
【課題を解決するための手段】
【００２０】
前記課題を解決するために、本願の請求項１にかかる発明は、少なくとも目的画像を表示する画像表示手段と、前記目的画像に対応する第１の領域に対する操作と、第２の領域に対する操作とを受け入れる操作受入手段と、前記第１の領域に対する操作に応じて、前記第１の領域に表示される目的画像の位置を移動させる画像移動手段と、前記第１の領域に対する操作が連続して前記第２の領域へ進入し、前記第２の領域に対する操作がなされた場合、前記第１の領域に対する操作に応じて移動された前記目的画像の位置を、前記第１の領域に対する操作が開始されたときの位置に戻す表示制御手段と、を有することを特徴とする操作装置である。
【００２１】
また、本願の請求項２にかかる発明は、請求項１にかかる操作装置において、前記画像移動手段は、前記操作受入手段により、連続的に前記第１の領域に対する操作が受け入れられたときには、前記受け入れられた操作に応じて、前記目的画像の位置を連続的に移動させ、前記表示制御手段は、前記第１の領域に対する操作が連続して前記第２の領域へ進入し、前記第２の領域に対する操作がなされた場合、前記第１の領域に対する操作に応じて移動された前記目的画像の位置を、前記第１の領域に対する操作が開始されたときの位置に戻すことを特徴とする。
【００２２】
また、本願の請求項３にかかる発明は、請求項１又は２にかかる操作装置において、前記第２の領域に対する操作に応じて、前記第２の領域に対応付けられた処理を実行する処理実行手段を有することを特徴とする。
【００２３】
更に、本願の請求項４にかかる発明は、請求項１乃至３のいずれかにかかる操作装置において、前記第１の領域に対する操作が連続して前記第２の領域へ進入した場合、前記画像移動手段は、前記目的画像の位置の移動を停止することを特徴とする。
【００２４】
このような構成によれば、ユーザが第１の領域に表示された地図画像などの目的画像をタッチして、画像の表示位置を変更（スクロール）する操作を開始し、さらに指をタッチパネルから離すことなく滑らせて、第２の領域に進入すると、スクロールが停止するため、第２領域にタッチが進入したことを視認できる。
【００２５】
また、本願の請求項５にかかる発明は、請求項１乃至４のいずれかにかかる操作装置において、前記表示制御手段は、前記第１の領域に対する操作が連続して前記第２の領域へ進入した場合、その旨を音声出力させることを特徴とする。
【００２６】
かかる構成によれば、第１の領域に対する操作（タッチ）が連続して前記第２の領域へ進入した場合、ユーザは第２領域にタッチが進入したことを認識できる。
【００２７】
また、本願の請求項６にかかる発明は、請求項１乃至５のいずれかにかかる操作装置において、前記目的画像は、地図画像であることを特徴とする。
【００２８】
これによりナビゲーション装置に適用し、操作性に優れたナビゲーション装置を提供することができる。
【００２９】
また、本願の請求項７にかかる発明は、請求項１乃至６のいずれかにかかる操作装置において、前記第２の領域は、前記目的画像の表示領域外の表示領域に対応する領域、又は、目的画像に重畳された画像に対応する領域、又は、前記第１の領域外の領域であることを特徴とする。これにより、ソフトキー、シールボタンなどを用いることができる。
【００３０】
本願の請求項８にかかる発明は、少なくとも目的画像を表示する画像表示ステップと、前記目的画像に対応する第１の領域に対する操作と、第２の領域に対する操作とを受け入れる操作受入ステップと、前記第１の領域に対する操作に応じて、前記第１の領域に表示される目的画像の位置を移動させる画像移動ステップと、前記第１の領域に対する操作が連続して前記第２の領域へ進入し、前記第２の領域に対する操作がなされた場合、前記第１の領域に対する操作に応じて移動された前記目的画像の位置を、前記第１の領域に対する操作が開始されたときの位置に戻す表示制御ステップと、をコンピュータにより実行することを特徴とする操作方法である。
【００３１】
このような構成によれば、請求項１ないし７にかかる操作装置を実現する操作方法を提供することができる。
【００３２】
また、本願の請求項９にかかる発明は、少なくとも目的画像を表示する画像表示ステップと、前記目的画像に対応する第１の領域に対する操作と、第２の領域に対する操作とを受け入れる操作受入ステップと、前記第１の領域に対する操作に応じて、前記第１の領域に表示される目的画像の位置を移動させる画像移動ステップと、前記第１の領域に対する操作が連続して前記第２の領域へ進入し、前記第２の領域に対する操作がなされた場合、前記第１の領域に対する操作に応じて移動された前記目的画像の位置を、前記第１の領域に対する操作が開始されたときの位置に戻す表示制御ステップと、をコンピュータにより実行させることを特徴とするプログラムである。
【００３３】
このような構成によれば、請求項１ないし６にかかる操作装置を構成するコンピュータのプログラムを提供することができる。
【発明の効果】
【００３４】
本発明によれば、ＬＣＤ装置の表示画面上にタッチパネルを重ねたタッチパネル式表示部を用いて、従来よりも操作性に優れた操作装置、操作方法およびプログラムを提供することができる。
【図面の簡単な説明】
【００３５】
【図１】本願発明にかかる操作装置であるナビゲーション装置のハードウェア構成を示す図である。
【図２】図１に示した操作装置におけるタッチパネル式表示部の構成を例示する図である。
【図３】図３は、図１などに示したナビゲーション装置の動作を示すフローチャートである。
【発明を実施するための形態】
【００３６】
以下、本発明の具体例を実施例及び図面を用いて詳細に説明する。但し、以下に示す実施例においては本発明の技術思想を具体化するための操作装置を例示するものであって、本発明をこの操作装置に特定することを意図するものではなく、特許請求の範囲に含まれるその他の実施形態の操作装置にも等しく適用し得るものである。
【実施例】
【００３７】
図１は、本願発明にかかる操作装置の一例であるナビゲーション装置１のハードウェア構成を示す図である。
【００３８】
図１に示すように、本願発明にかかるナビゲーション装置１は、制御部１０、タッチパネル式表示部２（図２を参照して後述する）、ネットワーク（図示せず）を介した通信を行う通信装置１０６、ＧＰＳ装置１２０、加速度センサ１２２、角速度センサ１２４、スピーカおよびブザーなどを含む音声出力部１２６、ナビゲーション装置１の電源スイッチなどの操作部１２８、記録媒体およびメモリ（図示せず）などを用いる記憶部１３０から構成される。
【００３９】
ナビゲーション装置１は、これらの構成部分により、タッチパネル式表示部２に対する操作に応じて、ナビゲーション装置１が搭載された自動車などのナビゲーションを実現する。
【００４０】
ＧＰＳ装置１２０は、人工衛星からの電波信号を受信して、ナビゲーション装置１が搭載された自動車などの位置（緯度・経度）（ナビゲーション装置１の位置）を示す情報を生成し、制御部１０に対して出力する。
【００４１】
加速度センサ１２２は、ナビゲーション装置１に加わる左右（ｘ軸）、上下（ｙ軸）および前後（ｚ軸）方向の加速度を検出し、これらの方向の加速度を示す情報を、制御部１０に対して出力する。
【００４２】
角速度センサ１２４は、例えば、ナビゲーション装置１が搭載された自動車のロール、ヨーおよびピッチ方向の角速度を検出し、これらの方向の角速度を示す情報を、制御部１０に対して出力する。
【００４３】
図２は、図１に示したタッチパネル式表示部２の構成を例示する図である。
【００４４】
図２に示すように、タッチパネル式表示部２は、例えば、ナビゲーションのために用いられる地図、経路、自車両位置の画像などの目的画像が表示される液晶表示装置（ＬＣＤ）２０の画面に、この画面よりも広い面積の、操作手段であるタッチパネル２２が配設されて構成される。
【００４５】
本実施例において、液晶表示装置（ＬＣＤ）２０は画像表示手段として機能し、タッチパネル２２は操作受入手段として機能する。
【００４６】
例えば、タッチパネル２２は、図２に示すように、ＬＣＤ２０の画面の下の方向に広く形成され、この部分は、ナビゲーション装置１を操作するためのシールボタン２４０−１〜２４０−４（シールボタン２４０の数は例示）が付されたフィルム（シール）が設置されるシール領域２４として用いられる。
【００４７】
すなわち、シールボタン２４０−１〜２４０−４の夫々に該当するタッチパネル２２上の位置（シールボタン２４０−１〜２４０−４の夫々の範囲）と特定の機能とがそれぞれ対応づけられており、例えば、シールボタン２４０−１に対する操作が行なわれた場合（例えば、シールボタン２４０−１上で指（タッチ）を離した場合）、シールボタン２４０−１（シールボタン２４０−１に該当するタッチパネル２２上の位置）に対応する特定の機能（例えば、メニュー表示）が行なわれる。なお、シールボタン２４０−１〜２４０−４の夫々の範囲は、フィルム（シール）に付されたシールボタン２４０−１〜２４０−４の形状と対応している。
【００４８】
なお、タッチパネル２２のＬＣＤ２０の画面（地図画像）に対応する部分は、以下、画面領域２６と記される。
【００４９】
タッチパネル式表示部２は、これらの構成部分により、制御部１０からナビゲーションのための地図画像などの目的画像を受け入れ、ユーザに対して表示する。
【００５０】
また、タッチパネル式表示部２は、タッチパネル２２（シール領域２４および画面領域２６）に対するユーザの指の接触および押下などの操作（以下、「タッチ」とも記す）を受け入れ、タッチされたことおよびタッチがタッチパネル２２のいずれの位置に対して行われたかを示す情報を、制御部１０に対して出力する。
【００５１】
なお、例えば、予め、制御部１０には、シールボタン２４０−１が最終的にタッチされたとき（例えば、シールボタン２４０−１の範囲内でタッチが離されたとき）には、ナビゲーション装置１の「メニュー画面」をＬＣＤ２０に表示する機能を実行するように設定がなされ、シールボタン２４０−２，２４０−３が最終的にタッチされたときには、それぞれ、ナビゲーション装置１に接続された音響装置（図示せず）或いはナビゲーション装置１の音量を上げる機能および下げる機能を実行するように設定がなされ、シールボタン２４０−４が最終的にタッチされたときには、音響装置の電源を入れたり切ったりする機能を実現するように設定がなされる（なお、シールボタン２４０−１〜２４０−４のいずれかを特定せずに示すときには、以下、単に「シールボタン２４０」などと記される）。
【００５２】
なお、第１の領域（画面領域２６）に対する操作とは、第１の領域内への指などによる接触や押下（タッチ）であり、第２の領域（シールボタン２４０−１〜２４０−４の夫々の範囲）に対する操作とは、第２の領域内においてタッチパネル式表示部２への指などによる接触や押下（タッチ）を解除する（指などを離す）ことであるものとして説明を行なう。
【００５３】
シールボタン２４０への最終的なタッチは、図２に点eで示すように、シール領域２４内のシールボタン２４０のいずれかへの直接的なタッチがなされて連続タッチすることなく指を離したとき（シールボタン２４０のいずれかへ非連続なタッチがなされたとき）と、図２に曲線ｄ〜ｄ'で例示するように、タッチパネル２２の画面領域２６の範囲内（あるいはシール領域２４のシールボタン２４０の範囲以外）に含まれる点ｄで始まったタッチが、あるシール領域２４内のシールボタン２４０まで連続的に続き、そのシールボタン２４０内の点ｄ'にタッチが至ってタッチ（指）を離したときとを少なくとも含む。
【００５４】
なお、図２には、ＬＣＤ２０の画面に、この画面よりも広い面積のタッチパネル２２が配設され、シール領域２４が、ＬＣＤ２０の範囲外に配設されている例が示されているが、タッチパネル２２は、ＬＣＤ２０と同じ面積でもよい。ＬＣＤ２０と同じ面積のタッチパネル２２がＬＣＤ２０に配設されるときには、ＬＣＤ２０の画面の上部が地図などの画像を表示する領域（第１の領域）とされ、その領域の下部がシール領域２４に対応する領域とされる。
【００５５】
この場合には、シール領域２４に対応するＬＣＤの領域には、ＬＣＤ２０の表示機能によりシールボタン２４０に相当する各種操作ボタンをソフトキーとして表示するようにされる。また、ＬＣＤ２０の画面を分割することなく、画面に表示された地図画像などの画像に重ね合わせてソフトキーを表示する構成であってもよい。この場合には、ユーザの連続的なタッチ操作が地図画像からソフトキーのいずれかに移行して終了したこと（ソフトキー上でタッチが離されたこと）を検出するように構成すればよい。
【００５６】
再び図１を参照する。
【００５７】
制御部１０は、記録媒体あるいは通信装置１０６を介してネットワークから地図の画像を示す地図情報、位置情報、道路情報および交通規制情報（例えば、各道路の一方通行の範囲を示す情報）などのナビゲーション情報を受け入れて、記憶部１３０に記憶する。
【００５８】
さらに、制御部１０は、ＧＰＳ装置１２０、加速度センサ１２２および角速度センサ１２４から入力される情報と、記憶部１３０に記憶されたナビゲーション情報とを用いて、タッチパネル式表示部２に対するユーザのタッチ、および、操作部１２８に対するユーザの操作に従って、ナビゲーション装置１の現在位置を示すマーク（画像）をタッチパネル式表示部２のＬＣＤ２０（図２）に表示したり、ナビゲーション装置１の行く先（目的地）までの道筋（経路）をＬＣＤ２０に表示したりするなどの一般的なナビゲーションサービスに必要な処理を行う。
【００５９】
また、制御部１０は、タッチパネル式表示部２のタッチパネル２２の画面領域２６に対するユーザのタッチを受け入れて、受け入れたタッチに応じて、ＬＣＤ２０に表示する画像（具体的には、例えば、ナビゲーション情報に含まれる地図情報が示す地図画像）の表示位置を移動（スクロール）させる。すなわち、制御部１０は目的画像をスクロールする画像移動手段として機能する。
【００６０】
ナビゲーションに際して、ＬＣＤ２０の画面領域２６（第１の領域）には、車両の現在位置を画面の中心とした所定の範囲の地図が案内すべき経路とともに表示され、車両の走行（現在位置の移動）とともに地図がスクロールされていく。ユーザが地図をスクロールしたい時のスクロールの態様は、たとえば、表示されている地図画像の所望の場所を指でタッチ（非連続タッチ）することにより、タッチされた位置が画面領域２６の中央になるように地図画像がスクロールされ、また、地図の任意の場所を指でタッチし、そのまま指を画面から離すことなく連続的に移動させると、指の移動方向と移動距離に応じて地図画像が連続的にスクロールされる態様である。
【００６１】
また、制御部１０は、ユーザのタッチが、画面領域２６の範囲内からシール領域２４の範囲に連続的に移動したときには、このタッチの軌跡における画面領域２６とシール領域２４の境界で、このタッチに伴う画像のスクロールを停止する。なお、再度、シール領域２４の範囲内から画面領域２６の範囲に連続的に移動したときには、タッチに伴う画像のスクロールを再開する。
【００６２】
さらに、制御部１０は、ユーザの連続的なタッチがタッチパネル２２の画面領域２６の範囲内からシール領域２４の範囲内に移行したときには、その旨の警告音を音声出力部１２６から出力する。
【００６３】
また、制御部１０は、タッチがいずれかのシールボタン２４０の範囲内に達したときには、そのシールボタン２４０に設定された機能を表示する音声（例えば、「メニューを表示します」、「音量を上げます」、「音量を下げます」、「音響装置の電源を入れます」または「音響装置の電源を切ります」）を、音声出力部１２６（図１）から出力する。
【００６４】
また、制御部１０は、タッチパネル式表示部２のシール領域２４に対するユーザのタッチが、シール領域２４で終了したか、シール領域２４のシールボタン２４０の領域内で終了したか、あるいは、シール領域２４のシールボタン２４０以外の領域で終了したかを判断する。
【００６５】
そして、制御部１０は、画面領域２６の範囲内からシール領域２４の範囲内に連続的に移動したタッチが、シール領域２４（シールボタン２４０を含む）の範囲内で終了したときには、このタッチに伴うスクロールにより移動した画像の表示位置を、このスクロールが開始される以前に戻す。なお、ユーザのタッチが、シールボタン２４０範囲外であって、且つ、シール領域２４の範囲内で終了したときには、ユーザの操作意図がいずれかの特定のシールボタン選択するものではないと判断して、地図の位置を元に戻さないようにしてもよい。すなわち、制御部１０は、第１の領域に対する操作に応じて移動された前記目的画像の位置を、第１の領域に対する操作が開始されたときの位置に戻す表示制御手段としても機能する。
【００６６】
また、制御部１０は、ユーザのタッチが、シール領域２４のいずれかのシールボタン２４０の範囲内で終了したときには、そのシールボタン２４０に割り当てられた機能を実現する。従って制御部１０は、第２の領域に対する操作に応じて、前記第２の領域に対応付けられた処理を実行する処理実行手段としても機能する。
【００６７】
以下、ナビゲーション装置１の全体的な動作を説明する。
【００６８】
図３は、図１などに示したナビゲーション装置１の動作を示すフローチャートである。なお、図３のフローチャートでは、本願の特徴である「画面領域２６の範囲内でタッチが開始され、シール領域２４のシールボタン２４０の範囲内でタッチが終了した場合」を説明するフローチャートである。
【００６９】
図３に示すように、ステップ１００（Ｓ１００）において、制御部１０（図１）は、タッチパネル２２に対して、ユーザによるタッチがあったか否かを判断する。
【００７０】
制御部１０は、タッチパネル２２の画面領域２６、すなわち、ＬＣＤ２０の第１の領域に対応する領域にタッチがあったときにはＳ１０２の処理に進み、これ以外のときにはＳ１００の処理に留まる。
【００７１】
ステップ１０２（Ｓ１０２）において、制御部１０は、タッチパネル２２の画面領域２６に対するタッチが連続しているか否か（所定時間以上連続してタッチしているか否か）を判断する。
【００７２】
制御部１０は、タッチが連続しているとき（図２に示した曲線ｂ〜ｂ’，ｃ〜ｃ’ｄ〜ｄ’を参照）にはＳ１０６の処理に進み、これ以外（例えば、タッチが図３に符号ａを付して示したように非連続）のときにはＳ１０４の処理に進む。
【００７３】
ステップ１０４（Ｓ１０４）において、制御部１０は、ＬＣＤ２０に表示されている画像（地図画像など）のタッチされた画像内の位置が、ＬＣＤ２０の中心に表示されるように、ＬＣＤ２０における画像表示の位置を変更する（タッチ位置を中心に画像表示する）。
【００７４】
ステップ１０６（Ｓ１０６）において、制御部１０は、それまでＬＣＤ２０に表示されていた画像の表示位置を記憶部１３０或いは、制御部１０が有するＲＡＭ（不図示）などに記憶させる。
【００７５】
ここで、「それまでＬＣＤ２０に表示されていた画像の表示位置を記憶する」とは、例えば、ステップＳ１００の段階で、現在位置に基づく地図画像（例えば、現在位置を中心とする地図画像）が表示されていた場合には、「現在位置に基づく地図画像が表示されていたことを示す情報」を記憶させ、一方、現在位置に基づく地図画像ではなく、既にユーザが任意の地点にスクロールさせて表示させていた地図画像であれば、例えば、当該地図画像において表示画面の中心にあたる位置座標（緯度・経度）を記憶させる。その他にも、表示方向（ノーズアップ、ヘディングアップ）や縮尺もステップ１０６において記憶してもよい。
【００７６】
ステップ１０８（Ｓ１０８）において、制御部１０は、ＬＣＤ２０に表示させる画像の位置を、連続したタッチに追従してスクロールさせる。
【００７７】
ステップ１１０（Ｓ１１０）において、ユーザによるタッチパネル２２に対する連続的なタッチが、画面領域２６の範囲内からシール領域２４の範囲内に進入したか否かを判断する。
【００７８】
制御部１０は、タッチがシール領域２４の範囲内に進入したときにはＳ１１２の処理に進み、これ以外のときにはＳ１０８の処理へ進む。
【００７９】
なお、ステップ１１０（Ｓ１１０）において、ユーザによるタッチパネル２２に対する連続的なタッチが、画面領域２６の範囲内からシール領域２４の範囲内に進入したか否かを判断するが、正確には、連続的なタッチがシール領域２４の範囲内にあるか否かを判定することが好ましい。
【００８０】
ここで、連続的なタッチがシール領域２４の範囲内にない場合に、Ｓ１０８の処理に戻ることにより、ユーザのタッチが、再度、シール領域２４の範囲内から画面領域２６の範囲に連続的に移動したときには、タッチに伴う画像のスクロールを再開できる。
【００８１】
ステップ１１２（Ｓ１１２）において、制御部１０は、ＬＣＤ２０に表示された画像のスクロールを停止し、タッチパネル２２に対するタッチが、画面領域２６の範囲からシール領域２４の範囲に進入した旨をユーザに示す警告音を、音声出力部１２６（図１）から出力する。このとき、連続的なタッチがシールボタン２４０の何れかの範囲内に進入するとタッチされたシールボタンの機能、種別をユーザに音声報知するようにしてもよい。
【００８２】
ステップ１１４（Ｓ１１４）において、制御部１０は、タッチパネル２２のシール領域２４に対する連続的なタッチが、いずれかのシールボタン２４０の範囲内で終了したか否かを判断する。
【００８３】
制御部１０は、タッチがシールボタン２４０の範囲内で終了したときにはＳ１１６の処理に進み、これ以外のときにはＳ１１０の処理に戻る。
【００８４】
ステップ１１６（Ｓ１１６）において、制御部１０は、最終的にタッチされたシールボタン２４０に割り当てられている機能を実行する。
【００８５】
ステップ１１８（Ｓ１１８）において、制御部１０は、ＬＣＤ２０における画像の表示位置を、Ｓ１０６の処理において記憶されていた位置に戻す（画像をスクロール前の位置に戻す）。
【００８６】
具体的には、Ｓ１０６において、「現在位置に基づく地図画像が表示されていたことを示す情報」を記憶させた場合には、Ｓ１１８では、Ｓ１１８における現在位置に基づく地図画像を表示させ、Ｓ１０６において、位置座標が記憶させた場合であれば、該位置座標を中心とした地図画像を表示させる。
【００８７】
［具体例］
以下、図１〜図３を参照して、ナビゲーション装置１の動作の具体例を説明する。
【００８８】
図２において符号ａを付して例示するように、ユーザが、ある一点に非連続的にタッチしたときには、制御部１０（図１）は、タッチされるまでＬＣＤ２０の符号ａを付して示す部分に表示されていた画像の部分が、ＬＣＤ２０の中心に表示されるように、ＬＣＤ２０に表示される画像の位置を変更する（図３のＳ１０４の処理に対応）。
【００８９】
また、ユーザが、タッチパネル２２の画面領域２６の範囲内を、図２において曲線ｂ〜ｂ’に示すように連続してタッチしたときには、制御部１０は、ＬＣＤ２０における画像表示の位置を、タッチの軌跡に沿って変化するように変更（スクロール）させる（図３のＳ１０２，Ｓ１０６，１０８の処理に対応）。
【００９０】
また、ユーザが、図２において曲線ｃ〜ｃ’に示すように、タッチパネル２２の画面領域２６の範囲内からシール領域２４のシールボタン２４０以外の範囲内まで連続的にユーザがタッチしたときには、制御部１０は、ＬＣＤ２０における画像表示を、画面領域２６の位置ｃから画面領域２６とシール領域２４との境界の位置ｃ”まで、連続的なタッチに沿ってスクロールさせ、警告音を、音声出力部１２６から出力する（図３のＳ１０８〜Ｓ１１２の処理に対応）。
【００９１】
さらに、制御部１０は、タッチが、シール領域２４のシールボタン２４０以外の領域の位置ｃ’で終了したときには、ＬＣＤ２０に表示される画像の位置を、タッチが開始されたときの位置に戻す。
【００９２】
また、ユーザが、図２において曲線ｄ〜ｄ’に示すように、タッチパネル２２の画面領域２６からシール領域２４のシールボタン２４０の領域まで連続的にタッチしたときには、制御部１０は、画面領域２６の符号ｄの位置から画面領域２６とシール領域２４との境界の位置ｄ“まで、連続的なタッチに沿って画像をスクロールさせ、タッチがシール領域２４に入ると、シール領域２４のシールボタン２４０以外の領域がタッチされている旨を示す警告音を、音声出力部１２６から出力させる（図３のＳ１０８〜Ｓ１１２の処理に対応）。
【００９３】
また、制御部１０は、タッチがいずれかのシールボタン２４０の領域に入ったときには、タッチされたいずれかのシールボタン２４０の機能を示す音声信号を、音声出力部１２６から出力し、さらに、タッチが、シール領域２４のいずれかのシールボタン２４０の領域で終了したときには、制御部１０は、そのシールボタン２４０に割り当てられた機能を実行し、画像をスクロール前の位置に戻す（図３のＳ１１６，Ｓ１１８に対応）。
【００９４】
以上、説明したように本発明にかかる操作装置によれば、ユーザが第１の領域に表示された地図画像などの目的画像をタッチして、画像の表示位置を変更（スクロール）する操作を開始し、さらに指をタッチパネルから離すことなく滑らせて、第２の領域に対する操作に移行した場合、画像の表示位置の変更開始時点の位置に戻すから、ユーザが意図しない目的画像の表示位置の変更が行われることがなく、操作性に優れた操作装置を提供することができる。
［その他の実施形態］
なお、本願発明は上記実施例限定されることなく、種々の変更が可能である。
【００９５】
例えば、上記実施例では、第２の領域（シールボタン２４０−１〜２４０−４の夫々の範囲）に対する操作とは、第２の領域内（例えば、シールボタン２４０−１の範囲内）においてタッチパネル式表示部２への指などによる接触や押下（タッチ）を解除する（指などを離す）ことであるものとして説明を行なったが、これに限らず、例えば、シールボタン２４０−１の範囲（第２の領域）内で、指などによるタッチが所定時間（例えば、３秒）以上続けることであってもよいし、シールボタン２４０−１の範囲（第２の領域）内で、指などによる接触や押下（タッチ）を解除した後、所定時間（例えば、１秒）以内に、再度、シールボタン２４０−１の範囲（第２の領域）内がタッチされることであってもよい。
【００９６】
また、上記実施例では、画面領域２６でタッチが開始され、連続的なタッチが、シール領域２４に進入した場合に、画像の位置の変更（スクロール）を禁止することとしたが、第２の領域（シールボタン２４０−１〜２４０−４の夫々の範囲）に進入した際に、画像の位置の変更（スクロール）を禁止することとしてもよい。
【００９７】
また、上記実施例では、第２の領域をシールボタン２４０−１〜２４０−４の夫々の範囲として説明を行なったが、上記実施例に記載の通り、シールボタン２４０に相当する各種操作ボタンをソフトキーとして表示するようにしてもよく、この場合、第２の領域とは、当該ソフトキーの範囲（ソフトキーの形状及びタッチパネル上の位置に基づく範囲）である。さらに、第２の領域は、シール領域２４の範囲（或いは、シール領域２４に該当する範囲）であってもよい。
【００９８】
また、上記の実施例では、地図の任意の場所を指でタッチし、そのまま指を画面から離すことなく連続的に移動させると、指の移動方向と移動距離に応じて地図画像が連続的にスクロールされる態様であるとして説明を行なったが、これに限ることはなく、例えば、地図の任意の場所を指でタッチし、そのまま指を画面から離すことなく連続的に移動させた場合、最初にタッチされた位置が画面領域２６の中央になるように地図画像がスクロールされてもよい（タッチを連続的に移動させても、タッチに追随したスクロールが行われない）。
【００９９】
このような場合においても、そのまま指を画面から離すことなく連続的に移動させ、第２の領域（例えば、シールボタン２４０−１の範囲内）において指などによるタッチを解除する（指などを離す）と、画像をスクロール前の位置に戻すことが好ましい。
【０１００】
さらに、上記実施例では、目的画像とは地図画像である場合を例示して説明を行なったが、例えば、現在位置マーク（目的画像）の位置（現在位置）を補正するために、所定の地図画像上の位置をタッチ（タッチした位置に現在位置マーク（目的画像）の位置（現在位置）が補正される）する場合などであっても適用可能である。
【符号の説明】
【０１０１】
１・・・ナビゲーション装置，
２・・・タッチパネル式表示部，
２０・・・ＬＣＤ，
２２・・・タッチパネル，
２４・・・シール領域，
２４０・・・シールボタン，
１０・・・制御部，
１０６・・・通信装置，
１２０・・・ＧＰＳ装置，
１２２・・・加速度センサ，
１２４・・・角速度センサ，
１２６・・・音声出力部，
１２８・・・操作部，
１３０・・・記憶部，
【図１】
2013011573.tif 000003
【図２】
2013011573.tif 000004
【図３】
2013011573.tif 000005